(57)【要約】【課題】薬剤の請求可否を識別可能な態様で出力することができる薬剤登録装置およびプログラムを提供する。【解決手段】薬剤登録装置は、入力手段と、読取手段と、登録手段と、出力手段と、を備える。前記入力手段は、薬剤を識別可能な識別情報の入力を受け付ける。前記読取手段は、薬剤の代金を請求可能であるか否かを示す請求可否情報を含む薬剤に関する薬剤情報を記憶する記憶部から、前記入力手段が入力を受け付けた前記識別情報を有する前記薬剤情報を読み取る。前記登録手段は、前記読取手段が読み取った前記薬剤情報を使用された薬剤として登録する。前記出力手段は、前記登録手段が登録した前記薬剤情報の薬剤の代金を、当該薬剤情報に含まれる前記請求可否情報に基づいて、請求可能であるか否かについて識別可能な態様で出力する。【選択図】図１０
2016038673.tif 000002
【特許請求の範囲】
【請求項１】
薬剤を識別可能な識別情報の入力を受け付ける入力手段と、
薬剤の代金を請求可能であるか否かを示す請求可否情報を含む薬剤に関する薬剤情報を記憶する記憶部から、前記入力手段が入力を受け付けた前記識別情報を有する前記薬剤情報を読み取る読取手段と、
前記読取手段が読み取った前記薬剤情報を使用された薬剤として登録する登録手段と、
前記登録手段が登録した前記薬剤情報の薬剤の代金を、当該薬剤情報に含まれる前記請求可否情報に基づいて、請求可能であるか否かについて識別可能な態様で出力する出力手段と、
を備える薬剤登録装置。
【請求項２】
前記出力手段は、請求可能であるか否かを示す識別子を付加して出力する、
請求項１に記載の薬剤登録装置。
【請求項３】
前記出力手段は、前記薬剤情報の薬剤の代金を、当該薬剤情報に含まれる前記請求可否情報に基づいて、請求可能であるか否かを識別可能な態様で表示する、
請求項１または２に記載の薬剤登録装置。
【請求項４】
前記出力手段は、前記薬剤情報の薬剤の代金を、当該薬剤情報に含まれる前記請求可否情報に基づいて、請求可能であるか否かを識別可能な態様で送信する、
請求項１ないし３の何れか一項に記載の薬剤登録装置。
【請求項５】
前記出力手段は、前記薬剤情報の薬剤の代金を、当該薬剤情報に含まれる前記請求可否情報に基づいて、請求可能であるか否かを識別可能な態様で印字する、
請求項１ないし４の何れか一項に記載の薬剤登録装置。
【請求項６】
コンピュータを、
薬剤を識別可能な識別情報の入力を受け付ける入力手段と、
薬剤の代金を請求可能であるか否かを示す請求可否情報を含む薬剤に関する薬剤情報を記憶する記憶部から、前記入力手段が入力を受け付けた前記識別情報を有する前記薬剤情報を読み取る読取手段と、
前記読取手段が読み取った前記薬剤情報を使用された薬剤として登録する登録手段と、
前記登録手段が登録した前記薬剤情報の薬剤の代金を、当該薬剤情報に含まれる前記請求可否情報に基づいて、請求可能であるか否かについて識別可能な態様で出力する出力手段と、
して機能させるためのプログラム。
【発明の詳細な説明】
【技術分野】
【０００１】
本発明の実施形態は、薬剤登録装置およびプログラムに関する。
【背景技術】
【０００２】
近年、手術室や緊急治療等の医療現場において使用薬剤とその使用量を記録するために、薬剤登録装置が用いられている。薬剤登録装置は、薬剤に付されたコードシンボルから薬剤コードを読み取り、当該薬剤コードに対応する薬剤名や規格、容量等の薬剤情報を病院内に備えられた薬剤データベースから読み込む。そして、薬剤登録装置は、これを使用薬剤記録として登録し、伝票出力する。使用薬剤記録が記載された伝票は、手術後に医事会計部門に回され、医事会計部門は当該記録に基づいて医薬品の代金を患者および健康保険組合に請求する。
【０００３】
しかしながら、手術等で使用される薬剤には、代金を請求することができない薬剤がある。従来の薬剤登録装置は、請求の可否に関わらず請求対象の薬剤であると登録し、医事会計部門で請求可否について確認されていた。
【発明の概要】
【発明が解決しようとする課題】
【０００４】
本発明が解決しようとする課題は、薬剤の請求可否を識別可能な態様で出力することができる薬剤登録装置およびプログラムを提供することである。
【課題を解決するための手段】
【０００５】
実施形態の薬剤登録装置は、入力手段と、読取手段と、登録手段と、出力手段と、を備える。前記入力手段は、薬剤を識別可能な識別情報の入力を受け付ける。前記読取手段は、薬剤の代金を請求可能であるか否かを示す請求可否情報を含む薬剤に関する薬剤情報を記憶する記憶部から、前記入力手段が入力を受け付けた前記識別情報を有する前記薬剤情報を読み取る。前記登録手段は、前記読取手段が読み取った前記薬剤情報を使用された薬剤として登録する。前記出力手段は、前記登録手段が登録した前記薬剤情報の薬剤の代金を、当該薬剤情報に含まれる前記請求可否情報に基づいて、請求可能であるか否かについて識別可能な態様で出力する。
【図面の簡単な説明】
【０００６】
【図１】図１は、実施形態にかかる薬剤管理システムの概要構成を示すブロック図である。
【図２】図２は、薬剤登録装置の外観を示す正面図である。
【図３】図３は、薬剤登録装置のハードウェア構成を示すブロック図である。
【図４】図４は、薬剤マスタのデータフォーマットの一例を示す説明図である。
【図５】図５は、使用薬剤記憶テーブルのデータ構成を示す説明図である。
【図６】図６は、薬剤登録装置の機能構成を示すブロック図である。
【図７】図７は、使用薬剤登録処理の流れを示すフローチャートである。
【図８】図８は、薬剤登録画面の一例を示す説明図である。
【図９】図９は、使用品伝票の一例を示す説明図である。
【図１０】図１０は、請求不可マークが付加された使用品伝票の一例を示す説明図である。
【図１１】図１１は、請求不可文字が付加された使用品伝票の一例を示す説明図である。
【図１２】図１２は、請求可能な薬剤が印字された使用品伝票と請求不可な薬剤が印字された使用品伝票との一例を示す説明図である。
【発明を実施するための形態】
【０００７】
図１は、実施形態にかかる薬剤管理システム１０の概要構成を示すブロック図である。図１に示すように、薬剤管理システム１０は、電子カルテサーバ１１と、医師用の情報処理端末装置１２と、医事用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、薬剤登録装置２０と、を備えている。
【０００８】
電子カルテサーバ１１は、電子カルテを管理し、記憶するための装置である。医師用の情報処理端末装置１２は、電子カルテサーバ１１が管理する電子カルテの記入や参照などを行うための装置である。医事用の情報処理端末装置１３は、患者や、患者が加入している保険組合などに医療費などの請求を行うための装置である。薬剤監査装置１４は、電子カルテに含まれる指示書情報（例えば、処方箋情報）に基づいて薬剤の取揃え等の支援および監査を行うための装置である。薬剤部サーバ１９は、薬剤部に配置され薬剤払出等を管理するための装置である。また、薬剤部サーバ１９は、薬剤のコード情報または薬剤の外面情報（薬剤のラベルを表す特徴量、薬剤の色合いや表面の凹凸状況等の表面の状態を表す特徴量など）に対応付けて薬剤に係る薬剤情報（名称、量など）を登録している。薬剤登録装置２０は、手術室に配置され、看護師によって手術中に使用された薬剤、あるいは救急の場などにおいて看護師や薬剤師等によって緊急的に使用された薬剤の登録支援を行うための装置である。本実施形態においては、薬剤登録装置２０は、手術室に配置されるものであって、看護師によって手術中に使用された薬剤の登録支援に用いられることを想定する。
【０００９】
上記構成において、電子カルテサーバ１１、情報処理端末装置１２、情報処理端末装置１３、薬剤監査装置１４、薬剤部サーバ１９及び薬剤登録装置２０は、通信ネットワーク１７に接続されている。
【００１０】
図２は、薬剤登録装置２０の外観を示す正面図である。図２に示すように、薬剤登録装置２０は、大別すると、薬剤登録装置２０の制御主体となる装置本体部２４と、スキャナ２２と、各種情報をプリントアウトするためのプリンタ２３とを備えている。
【００１１】
装置本体部２４は、オペレータとなる看護師が各種操作を行うとともに、使用された薬剤のリスト等の各種情報を表示可能なタッチパネルディスプレイ２１を備えている。
【００１２】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサとＬＥＤ（Light  Emitting  Diode）などの光源とを有している。スキャナ２２は、看護師ＩＤ（IDentification）のコードシンボル、患者ＩＤのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図３参照）に保存される。
【００１３】
なお、スキャナ２２は、図２に示すようなテーブル上に載置する形状に限るものではなく、床上に立設させるスタンド形状であってもよい。
【００１４】
また、薬剤登録装置２０は、薬剤の重量を測定する秤や、薬剤に付されたＲＦＩＤ（Radio  Frequency  IDentification）との間でデータの読取り／書込みを行うＲＦＩＤリーダライタ等を備えていてもよい。
【００１５】
図３は、薬剤登録装置２０のハードウェア構成を示すブロック図である。図３に示すように、薬剤登録装置２０は、装置全体を制御するＭＰＵ（Micro  Processing  Unit）３１と、ＲＯＭ（Read  Only  Memory）３２と、ＲＡＭ３３と、外部記憶装置３４と、通信インタフェース動作を行う通信インタフェース（Ｉ／Ｆ）３８とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なハードディスクドライブ、ＳＳＤ（Solid  State  Drive）によって構成されている。
【００１６】
ここで、タッチパネルディスプレイ２１、スキャナ２２、プリンタ２３、通信インタフェース３８及びスピーカ３７は、入出力Ｉ／Ｏ３９を介してバス４０に接続されている。このバス４０には、ＭＰＵ３１、ＲＯＭ３２、ＲＡＭ３３及び外部記憶装置３４が接続されている。
【００１７】
なお、タッチパネルディスプレイ２１は、表示部であるディスプレイ３５及びタッチパネル３６を主体に構成されている。
【００１８】
また、スピーカ３７は、警告音を発する場合などに使用される。
【００１９】
また、記憶部である外部記憶装置３４は、薬剤マスタＤＢと、使用薬剤記憶テーブルＴとを備える。
【００２０】
薬剤マスタＤＢは、薬剤の代金を請求可能であるか否かを含む薬剤に関する情報を記憶した薬剤データベースである。ここで、図４は、薬剤マスタＤＢのデータフォーマットの一例を示す説明図である。薬剤マスタＤＢは、薬剤識別情報と、薬剤名称と、薬剤単位と、製造会社と、請求可否情報とを関連付けて記憶する。薬剤識別情報は、薬剤を識別するバーコードなどの識別情報である。または、薬剤識別情報は、例えば、バーコードに付されている、各薬剤に割り当てられた固有の文字列や数値等の薬剤を識別可能な識別情報である。または、薬剤識別情報は、例えば、薬剤の外面情報などであってもよい。薬剤名称は、薬剤の名称である。薬剤単位は、薬剤の基準の量を示している。製造会社は、薬剤を製造している企業を示している。
【００２１】
請求可否情報は、薬剤の代金の請求可否について記憶した情報である。さらに詳しくは、請求可否情報は、請求可能、または請求不可が登録される。請求可能は、該当する薬剤の代金を請求することができることを示す。請求不可は、該当する薬剤の代金を請求することができないことを示す。
【００２２】
使用薬剤記憶テーブルＴは、一処置に係る医療行為で使用された薬剤が登録された明細情報を記憶する。ここで、図５は、使用薬剤記憶テーブルＴのデータ構成を示す説明図である。図５に示すように、使用薬剤記憶テーブルＴの明細情報は、明細識別情報と、患者識別情報と、薬剤識別情報と、薬剤名称と、使用量と、請求可否情報とを備える。明細識別情報は、明細情報を識別可能な識別情報である。患者識別情報は、代金を請求する患者を識別可能な識別情報である。薬剤識別情報は、一処置に係る医療行為で使用された薬剤の識別情報である。薬剤名称は、薬剤識別情報の薬剤の名称である。使用量は、薬剤識別情報の薬剤が、一処置に係る医療行為で使用された量である。請求可否情報は、薬剤マスタＤＢに記憶されている請求可否情報である。
【００２３】
次に、実施形態にかかる薬剤登録装置２０が有する特徴的な機能について説明する。図６は、薬剤登録装置２０の機能構成を示すブロック図である。ＭＰＵ３１は、ＲＯＭ３２や外部記憶装置３４に記憶された制御プログラムに従って動作することで、図６に示すように、薬剤情報入力部３１１と、薬剤情報読取部３１２と、使用薬剤登録部３１３と、使用薬剤出力部３１４と、として機能する。
【００２４】
入力手段である薬剤情報入力部３１１は、スキャナ２２がスキャンした撮像画像から読み取った薬剤識別情報の入力を受け付ける。具体的には、薬剤情報入力部３１１は、使用された薬剤に付されたコードシンボルのコード情報または使用される薬剤の全部または一部の外面情報を読み取った、薬剤の識別子の入力を受け付ける。バーコードや二次元コードなどのコードシンボルからコード情報を検出する処理については、従来からある技術なのでここでの説明は省略する。
【００２５】
または、薬剤情報入力部３１１は、手入力された薬剤識別情報の入力を受け付ける。この場合には、薬剤情報入力部３１１は、タッチパネルディスプレイ２１から文字列や数値等で表現されたコード情報の入力を受け付ける。
【００２６】
読取手段である薬剤情報読取部３１２は、外部記憶装置３４に記憶された薬剤マスタＤＢから、薬剤情報入力部３１１が入力を受け付けた薬剤識別情報を有する薬剤に関する情報を読み取る。
【００２７】
登録手段である使用薬剤登録部３１３は、入力された情報を使用薬剤記憶テーブルＴの明細情報に登録する。具体的には、使用薬剤登録部３１３は、スキャナ２２を介して入力された患者識別情報を使用薬剤記憶テーブルＴの明細情報に登録する。また、使用薬剤登録部３１３は、薬剤情報入力部３１１から入力された薬剤識別情報と、その薬剤識別情報の使用量とを、使用された薬剤として使用薬剤記憶テーブルＴの明細情報に登録する。また、使用薬剤登録部３１３は、薬剤情報読取部３１２が読み取った薬剤に関する情報に含まれる薬剤名称と請求可否情報とを使用薬剤記憶テーブルＴの明細情報に登録する。
【００２８】
出力手段である使用薬剤出力部３１４は、使用薬剤記憶テーブルＴの明細情報に登録された薬剤の代金を、その明細情報に含まれる請求可否情報に基づいて、請求可能であるか否かを識別可能な態様で出力する。さらに詳しくは、使用薬剤出力部３１４は、タッチパネルディスプレイ２１を介して、使用薬剤記憶テーブルＴに登録された明細情報を伝票に表示出力する。または、使用薬剤出力部３１４は、プリンタ２３を介して、使用薬剤記憶テーブルＴに登録された明細情報を伝票に印字出力する。または、使用薬剤出力部３１４は、通信インタフェース３８を介して、使用薬剤記憶テーブルＴに登録された明細情報を、医事用の情報処理端末装置１３に送信する。
【００２９】
次に、上述した実施形態にかかる薬剤登録装置２０のＭＰＵ３１が制御プログラムに従って実行する使用薬剤登録処理について説明する。実施形態にかかる薬剤登録装置２０は、使用された薬剤のコードシンボルや薬剤の画像などをスキャンし、薬剤登録処理を実行する。
【００３０】
図７は、薬剤登録装置２０のＭＰＵ３１が制御プログラムに従って実行する使用薬剤登録処理の流れを示すフローチャートである。
【００３１】
薬剤登録装置２０のＭＰＵ３１は、初期状態として、ディスプレイ３５にログイン画面（不図示）を表示する（ステップＳ１）。したがって、ログイン処理を行うために、自己のＩＤカードに付された看護師ＩＤのコードシンボルをスキャナ２２の前にかざす。
【００３２】
次いで、薬剤登録装置２０のＭＰＵ３１は、スキャナ２２を介してコードシンボルを読み取り、コードシンボルの看護師ＩＤを認証できるか否かを判定する（ステップＳ２）。看護師ＩＤを認証できない場合に（ステップＳ２；Ｎｏ）、薬剤登録装置２０のＭＰＵ３１は、待機する。
【００３３】
一方、看護師ＩＤを認証できた場合に（ステップＳ２；Ｙｅｓ）、薬剤登録装置２０のＭＰＵ３１は、ディスプレイ３５に患者登録画面（不図示）を表示させる（ステップＳ３）。したがって、オペレータ（看護師）は、患者登録処理を行うために、患者のリストバンドに付されている患者ＩＤのコードシンボルをスキャナ２２の前にかざす。
【００３４】
次いで、薬剤登録装置２０のＭＰＵ３１は、スキャナ２２を介してコードシンボルを読み取り、コードシンボルの患者識別情報を使用薬剤記憶テーブルＴの明細情報に登録できるか否かを判定する（ステップＳ４）。患者識別情報を登録できない場合に（ステップＳ４；Ｎｏ）、薬剤登録装置２０のＭＰＵ３１は、待機する。
【００３５】
一方、患者識別情報を登録すると（ステップＳ４；Ｙｅｓ）、薬剤登録装置２０のＭＰＵ３１は、ディスプレイ３５に薬剤登録開始画面（不図示）を表示させる（ステップＳ５）。ここで、薬剤登録開始画面は、スキャナ２２を介して薬剤識別情報を入力させる方法を表示して薬剤登録の開始を促す画面である。
【００３６】
次いで、薬剤登録装置２０のＭＰＵ３１（薬剤情報入力部３１１）は、スキャナ２２またはタッチパネルディスプレイ２１を介して、薬剤識別情報が入力されるか否かを判定する（ステップＳ６）。薬剤識別情報が入力されない場合に（ステップＳ６；Ｎｏ）、薬剤登録装置２０のＭＰＵ３１（薬剤情報入力部３１１）は、ステップＳ１０に移行する。
【００３７】
一方、薬剤識別情報が入力された場合に（ステップＳ６；Ｙｅｓ）、薬剤登録装置２０のＭＰＵ３１（薬剤情報読取部３１２）は、外部記憶装置３４に記憶された薬剤マスタＤＢから、入力された薬剤識別情報を有する薬剤に関する情報を読み取る（ステップＳ７）。
【００３８】
次いで、薬剤登録装置２０のＭＰＵ３１（請求確認入力部３１５）は、入力された薬剤識別情報と、薬剤名称と、請求可否情報とを、使用薬剤記憶テーブルＴの明細情報に登録する（ステップＳ８）。次いで、薬剤登録装置２０のＭＰＵ３１は、入力された薬剤識別情報の薬剤を、請求可否情報に基づいて、請求可能であるか否かを識別可能な態様で薬剤登録画面Ｇ１に表示させる（ステップＳ９）。
【００３９】
ここで、図８は、薬剤登録画面Ｇ１の一例を示す説明図である。薬剤登録画面Ｇ１は、使用薬剤記憶テーブルＴに登録された明細情報の薬剤を表示する画面である。薬剤登録画面Ｇ１は、患者表示領域Ｇ１１と、薬剤表示領域Ｇ１２と、手入力ボタンＢ１１と、印刷ボタンＢ１２とを備える。患者表示領域Ｇ１１は、薬剤の代金を請求する患者に関する情報を表示する領域である。患者に関する情報とは、患者識別情報や、年齢や、性別などである。薬剤表示領域Ｇ１２は、使用薬剤記憶テーブルＴに登録された薬剤を表示する領域である。手入力ボタンＢ１１は、薬剤識別情報の手入力を可能にするボタンである。印刷ボタンＢ１２は、薬剤登録を完了して、伝票を印字するボタンである。
【００４０】
また、薬剤表示領域Ｇ１２は、請求可否情報が請求不可を示している場合に、該当する薬剤に請求不可画面Ｇ１３を付加して表示する。請求不可画面Ｇ１３は、付加された薬剤が請求不可であることを示す画面である。よって、看護師は、薬剤表示領域Ｇ１２に表示された薬剤が請求可能であるか否かを識別可能となる。図８に示す薬剤登録画面Ｇ１は、ＣＣＣＣ薬と、ＤＤＤＤ薬とに請求不可画面Ｇ１３が付加されている。なお、請求可能であるか否かの表示は、これに限らず、請求可能の薬剤と請求不可の薬剤とを別々の欄に表示させる形態であってもよい。または、請求可能の薬剤と請求不可の薬剤とを別々の色で表示させる形態であってもよい。
【００４１】
次いで、薬剤登録装置２０のＭＰＵ３１は、薬剤登録が完了したことを示す印刷ボタンＢ１２の押下が検出されるか否かを判定する（ステップＳ１０）。印刷ボタンＢ１２の押下が検出されない場合に（ステップＳ１０；Ｎｏ）、薬剤登録装置２０のＭＰＵ３１は、ステップＳ６に戻る。
【００４２】
一方、印刷ボタンＢ１２の押下が検出された場合に（ステップＳ１０；Ｙｅｓ）、薬剤登録装置２０のＭＰＵ３１（使用薬剤出力部３１４）は、使用薬剤記憶テーブルＴに記憶された明細情報が印字された使用品伝票Ｄ１を出力する（ステップＳ１１）。
【００４３】
ここで、図９は、使用品伝票Ｄ１の一例を示す説明図である。使用品伝票Ｄ１は、一処置に係る医療行為で使用した薬剤が登録された明細情報を印字した伝票である。使用品伝票Ｄ１は、ヘッダ領域Ｄ１１と、基本情報領域Ｄ１２と、請求薬剤領域Ｄ１３と、承認欄領域Ｄ１４とを備える。ヘッダ領域Ｄ１１は、伝票名称が印字される。基本情報領域Ｄ１２は、出力日時と、処置日時と、発行場所と、操作者と、患者ＩＤとが印字される領域である。
【００４４】
請求薬剤領域Ｄ１３は、一処置に係る医療行為で使用した薬剤と、その薬剤の使用量とが印字される領域である。請求薬剤領域Ｄ１３は、各薬剤の請求可否情報の分類を識別可能な態様で印字される。これにより、医事会計部門は、薬剤の代金を請求するか否かを判断することができる。請求薬剤領域Ｄ１３は、薬剤ごとに、通し番号と、薬剤名称と、薬剤コードと、薬剤を数える単位と、使用された本数と、発行場所に常備されている薬剤の定数が印字される。図９に示す請求薬剤領域Ｄ１３は、請求可否情報の分類で、グループ分けして印字している。請求可能グループとして、ＡＡＡＡ薬とＢＢＢＢ薬とが印字されている。請求不可グループとして、ＣＣＣＣ薬とＤＤＤＤ薬とが印字されている。承認欄領域Ｄ１４は、承認欄が印字された領域である。
【００４５】
なお、請求薬剤領域Ｄ１３において、請求可否情報に基づいてグループ分けすることで、薬剤が請求可能であるか否かを識別可能な態様で印字している。薬剤の代金が請求可能であるか否かは、文字や記号などの識別子を付加することで、識別可能としてもよい。
【００４６】
ここで、図１０は、請求不可マークＭ１が付加された使用品伝票Ｄ１の一例を示す説明図である。請求不可マークＭ１は、請求可否情報が請求不可である薬剤に、付加される記号である。図１０に示す使用品伝票Ｄ１は、請求不可マークＭ１として黒丸が印字されている。図１０に示す使用品伝票Ｄ１は、ＣＣＣＣ薬とＤＤＤＤ薬とが印字されている。なお、図１０は、請求可否情報が請求不可である薬剤に請求不可マークＭ１を付加しているが、請求可否情報が請求可能である薬剤に記号を付加する形態であってもよい。
【００４７】
ここで、図１１は、請求不可文字Ｍ２が付加された使用品伝票Ｄ１の一例を示す説明図である。請求不可文字Ｍ２は、請求可否情報が請求不可である薬剤に、付加される文字である。図１１に示す使用品伝票Ｄ１は、請求不可文字Ｍ２として「不可」と印字されている。なお、図１１は、請求可否情報が請求不可である薬剤に請求不可文字Ｍ２として「不可」を付加しているが、請求可否情報が請求可能である薬剤に「可能」との文字を付加する形態であってもよい。または、薬剤の代金が請求可能であるか否かによって、別々の伝票に印字する形態であってもよい。
【００４８】
ここで、図１２は、請求可能な薬剤が印字された使用品伝票Ｄ１と請求不可な薬剤が印字された使用品伝票Ｄ２との一例を示す説明図である。図１２の（１）は、請求可能な薬剤が印字された使用品伝票Ｄ１を示している。そして、図１２の（２）は、請求不可な薬剤が印字された使用品伝票Ｄ２を示している。請求不可な薬剤が印字された使用品伝票Ｄ２と、請求可能な薬剤が印字された使用品伝票Ｄ１とは、ヘッダ領域Ｄ１１、Ｄ２１で識別可能になっている。基本情報領域Ｄ１２、Ｄ２２と、請求薬剤領域Ｄ１３、Ｄ２３と、承認欄領域Ｄ１４、Ｄ２４とは、同様の構成であってもよいし、異なる構成であってもよい。
【００４９】
次いで、薬剤登録装置２０のＭＰＵ３１（使用薬剤出力部３１４）は、通信インタフェース３８を介して、使用薬剤記憶テーブルＴに記憶された明細情報を医事用の情報処理端末装置１３へ送信する（ステップＳ１２）。
【００５０】
以上により、薬剤登録装置２０のＭＰＵ３１は、薬剤登録処理を実行する。
【００５１】
以上のように、本実施形態の薬剤登録装置２０によれば、薬剤情報入力部３１１は、薬剤識別情報の入力を受け付ける。薬剤の代金を請求可能であるか否かを示す請求可否情報を含む薬剤に関する薬剤情報を記憶する薬剤マスタＤＢから、薬剤情報読取部３１２は、入力された薬剤識別情報の薬剤に関する情報を読み取る。使用薬剤登録部３１３は、薬剤情報読取部３１２が読み取った薬剤に関する薬剤情報を、使用された薬剤として登録する。そして、使用薬剤出力部３１４は、使用薬剤登録部３１３が登録した薬剤に関する薬剤情報の薬剤の代金を、薬剤に関する薬剤情報に含まれる請求可否情報に基づいて、請求可能であるか否かを識別可能な態様で出力する。よって、本実施形態の薬剤登録装置２０は、薬剤の請求可否を識別可能な態様で出力することができる。そのため、医事会計部門は、確認作業の負担が軽減される。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５３】
なお、上述の実施形態において、請求可否情報には、請求可能と請求不可とが登録されていると説明している。しかし、請求可否情報には、請求不明が登録されていてもよい。
請求不明は、請求可能または請求不可の何れもが登録されていないことを示す。すなわち、請求不明は、請求可否情報が“ｎｕｌｌ”などの空状態であることを示す。または、請求不明は、空状態ではなく、該当する薬剤の代金を請求可否が不明であることを示す情報が登録された形態であってもよい。この場合には、使用薬剤登録部３１３は、使用薬剤記憶テーブルＴの明細情報に請求不明であることを登録する。そして、使用薬剤出力部３１４は、請求可能と、請求不可と、請求不明とを識別可能な態様で出力すればよい。
【００５４】
なお、上述の実施形態において、薬剤マスタＤＢは、薬剤登録装置２０の外部記憶装置３４に記憶されていると説明している。しかし、薬剤マスタＤＢは、他の記憶装置に記憶されていてもよい。例えば、薬剤マスタＤＢは、電子カルテサーバ１１や、薬剤部サーバ１９に記憶されていてもよい。
【００５５】
なお、上述の実施形態において、薬剤登録装置２０は薬剤を登録すると説明している。薬剤登録装置２０は、一処置に係る医療行為で使用されるものであれば、薬剤以外のものを登録してもよい。一処置に係る医療行為で使用されるものとは、例えば、医療機器や、医療材料や、衛生用品などである。この場合には、薬剤マスタＤＢに、一処置に係る医療行為で使用されるものの請求可否情報を記憶しておけばよい。
【００５６】
なお、上述の実施形態において、使用品伝票Ｄ１、Ｄ２は、代金を請求する薬剤が印字された伝票であると説明している。しかしながら、使用品伝票Ｄ１、Ｄ２には、代金を請求しない薬剤が印字されていてもよい。この場合には、薬剤の代金を請求する担当者は、使用品伝票Ｄ１、Ｄ２に印字された請求可否情報の分類のグループに応じて薬剤の代金を請求する。
【００５７】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００５８】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【００５９】
２０    薬剤登録装置
３１    ＭＰＵ
３１１  薬剤情報入力部
３１２  薬剤情報読取部
３１３  使用薬剤登録部
３１４  使用薬剤出力部
３４    外部記憶装置
ＤＢ    薬剤マスタ
Ｔ      使用薬剤記憶テーブル
【先行技術文献】
【特許文献】
【００６０】
【特許文献１】特開平８−７０１４号公報
【図１】
2016038673.tif 000003
【図２】
2016038673.tif 000004
【図３】
2016038673.tif 000005
【図４】
2016038673.tif 000006
【図５】
2016038673.tif 000007
【図６】
2016038673.tif 000008
【図７】
2016038673.tif 000009
【図８】
2016038673.tif 000010
【図９】
2016038673.tif 000011
【図１０】
2016038673.tif 000012
【図１１】
2016038673.tif 000013
【図１２】
2016038673.tif 000014